(57)【要約】本発明は中国医療用望診検査装置を開示するものであり、ハウジングと、光源と、撮影構造体と、を含み、前記光源及び撮影構造体が前記ハウジング内に位置し、前記ハウジング内には導光モジュールを有し、前記導光モジュールは少なくとも１つの導光層を含み、前記光源は前記導光層内にまたはその側端面上に設置され、前記光源は前記導光モジュールの拡散反射によって面光源を形成する。本発明は導光モジュールを使用して光線を伝導し、点光源を面光源に変換するため、それによって、検査装置の内部に自然光に近づけ、柔らかく安定かつ均一の撮影環境を形成した。【選択図】図５
2013503023.tif 000002
【特許請求の範囲】
【請求項１】
ハウジングと、光源と、撮影構造体と、を含み、前記光源及び撮影構造体が前記ハウジング内に位置する、中国医療用望診検査装置において、前記ハウジング内には導光モジュールを有し、前記導光モジュールは少なくとも１つの導光層を含み、前記光源は前記導光層内にまたはその側端面上に設置され、前記光源は前記導光モジュールの拡散反射によって面光源を形成する、ことを特徴とする中国医療用望診検査装置。
【請求項２】
前記導光層が導光板から構成される、ことを特徴とする請求項１に記載の中国医療用望診検査装置。
【請求項３】
前記導光モジュールはさらに前記導光層の外側に位置する１つの光均一層を含む、ことを特徴とする請求項１に記載の中国医療用望診検査装置。
【請求項４】
前記光均一層が白色粘着層、白色鍍金層または白色塗装層である、ことを特徴とする請求項３に記載の中国医療用望診検査装置。
【請求項５】
前記導光モジュールはさらに前記光均一層の外側に位置する１つの反射層を含む、ことを特徴とする請求項３に記載の中国医療用望診検査装置。
【請求項６】
前記反射層が鏡面反射粘着層、鏡面反射鍍金層または鏡面反射塗装層である、ことを特徴とする請求項５に記載の中国医療用望診検査装置。
【請求項７】
前記導光モジュールの上下端がそれぞれ上蓋板及び下蓋板によって密閉され、前記導光モジュールと前記上下蓋板との間には光照明が均一である撮影環境が形成される、ことを特徴とする請求項１から請求項６のいずれか１項に記載の中国医療用望診検査装置。
【請求項８】
前記上蓋板と下蓋板との、導光モジュールに面する内面側には、導光モジュールと係合する係止溝を有し、前記導光モジュールが前記係止溝内に係止される、ことを特徴とする請求項７に記載の中国医療用望診検査装置。
【請求項９】
前記導光モジュールが多角面、曲面または球面構造である、ことを特徴とする請求項１から請求項６のいずれか１項に記載の中国医療用望診検査装置。
【請求項１０】
前記光源が点光源である、ことを特徴とする請求項１から請求項６のいずれか１項に記載の中国医療用望診検査装置。
【請求項１１】
前記光源がＬＥＤであり、前記ＬＥＤの数量が２０〜６０個である、ことを特徴とする請求項１０に記載の中国医療用望診検査装置。
【請求項１２】
前記ＬＥＤの演色指数が８５以上であり、前記ＬＥＤの色温度範囲が４０００ｋ〜７０００ｋである、ことを特徴とする請求項１１に記載の中国医療用望診検査装置。
【請求項１３】
前記ＬＥＤに対して定電流の電気供給手段が使用され、各ＬＥＤに流れる電流が１０〜３０ｍＡである、ことを特徴とする請求項１１に記載の中国医療用望診検査装置。
【請求項１４】
前記導光モジュールがＵ字状の曲面構造であり、且つ前記Ｕ字状の曲面構造の開口端が前記中国医療用望診検査装置の正面パネルに対向しており、前記ＬＥＤが前記Ｕ字状の曲面構造の開口端の側端面上に均一に設置される、ことを特徴とする請求項１１に記載の中国医療用望診検査装置。
【請求項１５】
前記Ｕ字状の曲面構造の開口端の側端面上にはＬＥＤ固定棒が設けられ、前記ＬＥＤ固定棒はＬＥＤ取り付け孔を有し、前記ＬＥＤが前記ＬＥＤ取り付け孔内に取り付けられる、ことを特徴とする請求項１４に記載の中国医療用望診検査装置。
【請求項１６】
前記ＬＥＤ固定棒が非光透過材質でできている、ことを特徴とする請求項１５に記載の中国医療用望診検査装置。
【請求項１７】
前記ＬＥＤ固定棒の外表面上には反射層を有する、ことを特徴とする請求項１５に記載の中国医療用望診検査装置。
【請求項１８】
前記光源が棒状光源である、ことを特徴とする請求項１から請求項６のいずれか１項に記載の中国医療用望診検査装置。
【請求項１９】
前記棒状光源の演色指数が８５以上である、ことを特徴とする請求項１８に記載の中国医療用望診検査装置。
【請求項２０】
前記棒状光源が設置される位置にある導光層の表面上に遮光棒を有する、ことを特徴とする請求項１８に記載の中国医療用望診検査装置。
【請求項２１】
前記導光モジュールは撮影孔を有し、前記撮影構造体が前記導光モジュールの外側に設置され、前記撮影構造体の撮影レンズが前記導光モジュールの撮影孔に嵌合する、ことを特徴とする請求項１から請求項６のいずれか１項に記載の中国医療用望診検査装置。
【請求項２２】
前記撮影孔には光学ガラスが嵌設される、ことを特徴とする請求項２１に記載の中国医療用望診検査装置。
【請求項２３】
前記撮影孔内には撮影窓フレームが取り付けられ、前記撮影窓フレーム内には光学ガラスが嵌設される、ことを特徴とする請求項２１に記載の中国医療用望診検査装置。
【請求項２４】
前記撮影窓フレーム内に少なくとも１つの風排出口を有し、前記風排出口がファンと連通している、ことを特徴とする請求項２３に記載の中国医療用望診検査装置。
【発明の詳細な説明】
【技術分野】
【０００１】
本発明は中国医療用検査装置に関し、具体的には中国医療用望診検査装置に関する。
【背景技術】
【０００２】
中国の伝統的な中国医療用の診断の情報源は、主に望診、聞診、問診、切診であり、いわゆる「四診」である。そのうち望診は主に舌診及び面診などを含む。伝統的な望診情報収集は、主に医師による主観的かつ定性的な観察及び臨床経験によるものであった。それゆえ、主観的な依存が強いこと及び再現性が悪いことなどの不利な要因が存在しており、且つ病症の記録を残すことが非常に不便である。
【０００３】
中国医療用の望診の客観化、定量化及び標準化を実現するため、検査情報の画像を撮影するための撮影サンプリング装置を使用し、画像の色、形状、模様などの特徴情報によって人体の状態を判断する。初期の望診情報の収集方法は開放式の直接撮影による方法であった、該方法は外部の光線の影響を受けやすく、収集した画像の色を変化させる。例えば画像の色は、日照強度または光源の色の違いによって変化してしまう。その後、密閉した収集暗箱を使用して望診情報を収集することが提案され、例えば、特許文献１は、舌部画像用の収集暗箱を開示しており、密閉の空間を利用し、一貫した位置決めを行うことで、収集された舌部画像の色の品質を保証する。
【０００４】
同様な収集暗箱（図１及び図２に示す）は通常、ハウジング１、光源２及び撮影構造体３を含むが、光源２は通常、ハウジング１内に直接設置され、点光源の形式で、必要となる光照明を撮影構造体３に与える。それゆえ、前記方法は、光照明環境が不均一となり、且つ光線が光源から影響を受けて自然光から非常に大きく逸脱してしまうという欠点がある。このため、得られた画像は、医師が直接望診して得た情報と一致せず、誤診を招く可能性がある。
【先行技術文献】
【特許文献】
【０００５】
【特許文献１】中国特許出願公開ＺＬ２００７２０１７２９７８．１号明細書（公告日２００８年１０月２９日）
【発明の概要】
【発明が解決しようとする課題】
【０００６】
本発明が解決しようとする技術的な課題は、自然光に近づけ、柔らかく安定かつ均一の撮影環境を提供できる、中国医療用望診検査装置を提供することにある。
【課題を解決するための手段】
【０００７】
前記技術的な課題を解決するため、本発明は中国医療用望診検査装置を提供するものであり、ハウジングと、光源と、撮影構造体と、を含み、前記光源及び撮影構造体が前記ハウジング内に位置し、前記ハウジング内には導光モジュールを有し、前記導光モジュールは少なくとも１つの導光層を含み、前記光源は前記導光層内にまたはその側端面上に設置され、前記光源は前記導光モジュールの拡散反射によって面光源を形成する。
【０００８】
本発明は導光モジュールを使用して光線を伝導し、点光源を面光源に変換することによって、検査装置の内部に、自然光に近づけ、柔らかく安定かつ均一の撮影環境を形成した。
【図面の簡単な説明】
【０００９】
添付の図面を参照することにより、本発明の実施形態をさらに詳細に説明する。
【００１０】
【図１】従来の中国医療用望診装置の外観構造図である。
【図２】従来の中国医療用望診装置の内部構造図である。
【図３】本発明の導光モジュールの説明図である。
【図４】本発明の撮影環境の構造説明図である。
【図５】本発明の導光モジュールにＬＥＤが取り付けられる構造説明図である。
【図６】本発明のＬＥＤ位置決め棒の構造説明図である。
【図７】本発明の導光モジュールに撮影窓フレームが取り付けられる説明図である。
【図８】本発明の撮影窓フレームの構造説明図である。
【発明を実施するための形態】
【００１１】
従来の望診撮影装置の欠点に鑑み、本発明の撮影箱は従来からあるハウジング、光源及び撮影構造体に加えて、さらに導光モジュール５を備える。導光モジュール５は少なくとも１つの導光層を含み、導光モジュール５は、外側から内側へ向かう順に、反射層、光均一層及び導光層を含むことが好ましい（また、もし反射層及び導光層のみを使用し、または光均一層及び導光層のみを使用する場合は、光照明環境の効果においては、３層構造と比べると、優れているわけではないが、共に本発明の変形例に属する）。光源の設置は２種類の方法を採用でき、１つ目の方法は光源を直接導光層の内部に封入するものであり、もう１つ目の方法は光源を導光層の側端面上に固定するものである。導光層は拡散反射によって光源の光を伝導し、点光源または線光源を面光源に変換する。光均一層の役割は、光線を柔らかにし、自然光に近づけることにある。反射層の役割は、反射を利用して内部光源の光損失を防止することにあるとともに、外部光線を反射して内部環境に対する影響を防止することにある。このように光源は、導光モジュールの拡散反射によって最終的に１つの均一な面光源を形成できる。
【００１２】
本発明の１つの簡単な実施形態は、従来の撮影暗箱（図１及び図２）内に平板、多角面（例えば正方形プリズム、五角形プリズム、六角形プリズム等）状または曲面形状の導光モジュールを配置し、導光モジュールを利用して撮影箱内に面光源を形成し、撮影中に光源を点灯すると、撮影環境全体が安定な光照明環境になる。導光モジュールの内部は密閉の撮影環境であり、撮影構造体が撮影環境内部に配置され、レンズの焦点を正面パネルまたは被検査者に合わせる。
【００１３】
本発明の導光層は１つの導光板または１つ以上の導光板を組み合わせて構成することができ、図３に示されるのは、第１導光板５１、第２導光板５２及び第３導光板５３が結合されて一体となって構成される導光板である。前記導光板の外側にある光均一層には白色拡散反射粘着層（例えば白色拡散反射紙）、白色拡散反射鍍金層または塗装層（例えば白色塗装層）を使用してもよく、その光均一層の外側にある反射層には鏡面反射粘着層（例えば鏡面反射紙）、鏡面反射鍍金層または塗装層（例えば鏡面塗装）を使用してもよい。光均一層または反射層に粘着層を使用する利点は、摩損または剥離を生じにくくすることにあるが、鍍金層または塗装層を使用すれば均一性及び粘着性をさらに良好にできるので、実際の状況に基づいて異なる案を選択することができる。
【００１４】
本発明の他の実施形態は、図４に示されるように、導光モジュール５の上下端はそれぞれ上蓋板６１及び下蓋板６２によって密閉され、ハウジングの正面パネル６３を加えることで、導光モジュール５と上下蓋板６１、６２との間に密閉の撮影環境が形成される。光照明を均一にするため上蓋板及び下蓋板も内側から外側に向かう順に光透過層、光均一層及び反射層を含む。光透過層は比較的薄い（０．５ｍｍ〜３ｍｍ）有機ガラスプレートまたは透明ガラスを使用してもよく、光均一層は白色拡散反射紙または白色塗装層であってもよく、反射層は鏡面反射紙または鏡面塗装であっても良い。
【００１５】
さらに、本発明の導光モジュールは、多角面、曲面または球面構造に設計してもよく、例えば図３及び図４に示されている第２導光板５２は、曲面構造を有する。そのことに応じて、上蓋板６１及び下蓋板６２の、導光モジュール５に面する内面側には、導光モジュールと係合する係止溝７が形成されており、導光モジュールは、係止溝７内に係止されている。
【００１６】
図５及び図６に示すように、本発明の撮影装置に採用される光源は、点光源――ＬＥＤ光源であり、導光モジュールは、Ｕ字状の曲面構造であり、且つＵ字状の曲面構造の開口端は、中国医療用望診検査装置の正面パネルに対向しており、ＬＥＤは、Ｕ字状の曲面構造の開口端の側端面上に均一に設置される。
【００１７】
さらに、Ｕ字状の曲面構造の開口端の側端面上にはＬＥＤ固定棒８が設けられ、ＬＥＤ固定棒８はＬＥＤ取り付け孔８１を有し、ＬＥＤは、ＬＥＤ取り付け孔８１内に取り付けられる。ＬＥＤ固定棒８が非光透過材質でできており、ＬＥＤ固定棒８の外表面上には反射層を有し（反射層には、鏡面反射紙または鏡面塗装を使用しても良い）ているため、光損失を防止し、光源から発される全ての光を導光モジュール５の導光層内に入射させることができる。光照明をなるべく自然光に近づけるため、ＬＥＤの数量は、２０〜６０個であることが好ましく、これらのＬＥＤを、両側のＬＥＤ固定棒８に均一に設置するとよい。使用されるＬＥＤの演色指数（Ｒａ）は、８５以上とすべきであり、ＬＥＤの色温度範囲は４０００ｋ〜７０００ｋであり、このような条件下で形成された画像は、色再現度において優れた性能を有する。ＬＥＤに対して定電流の電気供給手段が使用され、各ＬＥＤに流れる電流を１０〜３０ｍＡにすることで、結果的には、導光モジュール５によって安定的且つ自然光に非常に近い光照明環境が形成される。
【００１８】
本発明の、ＬＥＤ固定棒８を使用する方法には２つの利点がある。１つは、複数のＬＥＤの全体装着化及び位置固定化により、光の漏れの防止を容易にすることであり、もう１つは、Ｕ字状の曲面構造の開口端が中国医療用望診検査装置の正面パネルに対向するため、取り外し及びメンテナンスが容易になることである。
【００１９】
本発明の中国医療用望診検査装置に採用する他の光源は、棒状光源、例えば冷陰極蛍光管（Cold Cathode Fluorescent Lamp：ＣＣＦＬと略称される）であってもよい。蛍光管は、隣接する導光板の間に設置してもよいし、または導光板の側端面（例えば上下端面または左右端面）上に設置してもよい。そして蛍光管が設置される位置にある導光層の表面上に遮光棒を設置すべきであり、これにより、光源からの直射光の外漏れ、または内部の光照明環境を直接照射することを防止できる。
【００２０】
本発明はその他の光源として、例えばエレクトロルミネセンス（ＥＬ：electroluminescence）及び有機発光ダイオード（ＯＬＥＤ：Organic Light-Emitting Diode、有機ＥＬディスプレイ（Organic Electroluminesence Display，ＯＥＬＤ）とも呼ばれる）を使用してもよい。前記ＬＥＤの光源及び蛍光管の光源を参照することで、異なる光源を選択するときは、光源の形式（点光源或いは棒状光源）に合わせて異なる取り付け方法を選択することができる。
【００２１】
図３〜図５に示すように、本発明の中国医療用望診検査装置において導光モジュールは撮影孔４を有している。そして、撮影構造体３は、導光モジュール５の外側に設置され、撮影構造体３の撮影レンズは導光モジュール５の撮影孔４に嵌合する。本発明は通常、病院で使用されるものであり、患者間の相互感染を減少させるために消毒は頻繁に行う必要があり、それゆえ、消毒の過程において、カメラの損壊に至る恐れがある。このため、本発明は、カメラを内部撮影環境の外側へ配置し、且つ撮影孔に光学ガラスを嵌入することによって内部環境を密閉したままにすることができる。
【００２２】
図７に示すように、本発明の中国医療用望診検査装置は、撮影孔４内に撮影窓フレーム９が設けられ、撮影窓フレーム９内には光学ガラス９１が嵌設されることが好ましい。これにより、撮影構造体３の撮影レンズは、撮影窓フレーム９内に進入でき、それによって、撮影距離を短縮し、中国医療用望診検査装置全体の外形サイズを小さくできる。
【００２３】
さらに、図８に示すように、本発明の中国医療用望診検査装置は、撮影窓フレーム９内に少なくとも１つの風排出口９２を有し、風排出口９２がファン９３と連通している。ファン９３は風排出口９２を介して内部撮影環境の空気を排出すると、それによって、撮影環境内に気流を形成し、撮影環境内の空気を新鮮なままにし、患者同士の相互感染を防止することができる。本発明のファン９３は掛けフック構造をとっており、撮影窓フレーム９から簡単に取り外すことができる。
【００２４】
本発明の好適な実施形態において、患者は、検査待ち部位（例えば顔面部または舌部）を中国医療用望診検査装置の正面パネル検査窓に向かいあわせる。電源を入れると、検査装置の内部では導光モジュールによって密閉、かつ安定した撮影環境が形成され、光照明は自然光に近づく。カメラレンズが導光モジュールの撮影孔内に進入すると、撮影することによって検査待ち部位の病症情報を記録する。同時にファンを回転させることで、撮影環境の内部に気流を形成し、患者に快適な検査環境を提供することができる。検査完了後は、内部環境の消毒を行うことができる。導光モジュールの内部は導光板でできているため、防水性、かつ耐腐蝕性において有利であり、エタノールで直接擦拭することができる。また、撮影窓フレームにおける光学ガラスは、レンズが消毒過程において汚染及び損壊されることを有効に防止できる。
【符号の説明】
【００２５】
１      ハウジング
２      光源
３      撮影構造体
４      撮影孔
５      導光モジュール
５１    第１導光板
５２    第２導光板
５３    第３導光板
６１    上蓋板
６２    下蓋板
６３    正面パネル
７      係止溝
８      ＬＥＤ固定棒
８１    ＬＥＤ取り付け孔
９      撮影窓フレーム
９１    光学ガラス
９２    風排出口
９３    ファン
【図１】
2013503023.tif 000003
【図２】
2013503023.tif 000004
【図３】
2013503023.tif 000005
【図４】
2013503023.tif 000006
【図５】
2013503023.tif 000007
【図６】
2013503023.tif 000008
【図７】
2013503023.tif 000009
【図８】
2013503023.tif 000010
【国際調査報告】
2013503023.tif 000011
2013503023.tif 000012
2013503023.tif 000013
2013503023.tif 000014
2013503023.tif 000015
2013503023.tif 000016